(57)【要約】【課題】  スペースを取らず、支持部材を比較的わずかしか衰弱させずに２つの取付部材を支持部材に比較的簡単に取付けること。【解決手段】  ２つの取付け部材（３６、３７）を１つの支持部材（３５）に取り付けるための装置では、外側クリップ（１）の運動をブロックする内側クリップ（１１）が設けられている。この内側クリップは、相互に継ぎ合わされた配置構成では、前記支持部材（３５）に形成されたただ１つの挿入切欠部に挿入することができ、これにより、支持部材（３５）に対して可動の取付け部材（３７）および別の取付け部材（３６）がそれぞれ大きな引張力をもって支持部材（３５）に保持される。
2010539420.tif 000002
【特許請求の範囲】
【請求項１】
２つの取付け部材（３６、３７）を１つの支持部材（３５）に、外側クリップ（１）と内側クリップ（１１）によって取り付けるための装置であって、
前記外側クリップは、相互に対向し、一方の端部で相互に接続された２つの脚アーム（３、４）と、当該各脚アーム（３、４）の他方の自由端部で側方に突出するクランプ舌片（９、１０）とを有し、
前記外側クリップ（１）の各脚アーム（３、４）は、接続端部から他方の脚アーム（３、４）の方向に伸長する後方把持部分（５、６）を有し、
該後方把持部分は前記クランプ舌片（９、１０）から第１の間隔で配置されており、
前記内側クリップは、前記外側クリップ（１）の前記脚アーム（３、４）の間に配置されており、かつ相互に対向し、一方の端部で相互に接続された２つの側脚部（１３、１４）を有し、
各側脚部（１３、１４）の他方の端部には側方に突出する載置舌片（２３、２４）が形成されており、
前記内側クリップ（１１）の側脚部（１３、１４）は、前記外側クリップ（１）の脚アーム（３、４）の間に配置されており、接続端部から他方の側脚部（１３、１４）の方向に伸長する当接部分（３１、３２）をそれぞれ有し、
該当接部分は前記載置舌片（２３、２４）から第２の間隔で配置されており、
該第２の間隔は、前記外側クリップ（１）でのクランプ舌片（９、１０）からの後方把持部分（５、６）の第１の間隔よりも大きいこと、
を特徴とする装置。
【請求項２】
請求項１記載の装置において、
前記外側クリップ（１）では、前記後方把持部分（５、６）の相互に向き合う端部と前記クランプ舌片（９、１０）との間に平坦な当接部分（７、８）が形成されていることを特徴とする装置。
【請求項３】
請求項１または２記載の装置において、
前記外側クリップ（１）では、自由端部に対向する脚アーム（３、４）の端部間に平坦な底部分（２）が形成されていることを特徴とする装置。
【請求項４】
請求項３記載の装置において、
前記内側クリップ（１１）では、前記側脚部（１３、１４）の、前記載置舌片（２３、２４）とは反対側の端部間に平坦な脚基部分（１２）が形成されており、該脚基部分の寸法は前記外側クリップ（１）の前記底部分（２）の寸法に実質的に相当することを特徴とする装置。
【請求項５】
請求項１から４までのいずれか一項記載の装置において、
前記内側クリップ（１１）では、各当接部分（３１、３２）が弾性の後方把持部分（２７、２８）に形成されており、該後方把持部分の自由端部は配属された載置舌片（２３、２４）に向いていることを特徴とする装置。
【請求項６】
請求項５記載の装置において、
各後方把持部分（２７、２８）は、前記自由端部を閉鎖する平坦な端部分（３３、３４）を有することを特徴とする装置。
【請求項７】
請求項４から６までのいずれか一項記載の装置において、
前記内側クリップ（１１）では、前記脚基部分（１２）とは反対側の側脚部（１３、１４）の端部がヘッド部分（１７）で相互に結合されていることを特徴とする装置。
【請求項８】
請求項１から７までのいずれか一項記載の装置において、
前記内側クリップ（１１）では、各側脚部（１３、１４）が、前記当接部分（３１、３２）の、前記当接舌片（２３、２４）とは反対側にストップウェブ（２５、２６）を有し、該ストップウェブの自由端部は斜めに外に向かって伸長していることを特徴とする装置。
【発明の詳細な説明】
【技術分野】
【０００１】
本発明は、２つの取付け部材を１つの支持部材に取り付けるための装置に関する。
【背景技術】
【０００２】
２つの取付け部材を１つの支持部材に取り付けるための従来の装置では、通常は各取付け部材に対して別個の固定エレメントが使用され、これらの固定エレメントがそのために支持部材に設けられた固有の切欠部にそれぞれ係留される。しかしこのことは例えばスペースが制限されている場合、または構造的に支持部材が強く負荷される場合には不利である。
【発明の概要】
【発明が解決しようとする課題】
【０００３】
本発明の基礎とする課題は、スペースを取らず、支持部材を比較的わずかしか衰弱させずに、２つの取付け部材を支持部材に比較的簡単に取り付けることのできる、２つの取付け部材を１つの支持部材に取り付けるための装置を提供することである。
【課題を解決するための手段】
【０００４】
この課題は、請求項1の特徴的構成を備える、２つの取付け部材を１つの支持部材に取り付けるための装置により解決される。
【０００５】
本発明の装置では、２つの脚アームにより構成された外側クリップ、ならびにこの外側クリップの間に配置された内側クリップが設けられており、両クリップが後方把持部分または当接部分を介して支持部材と係合し、ならびにクランプ舌片または載置舌片によりそれぞれ取付け部材が支持部材に確保されることによって、支持部材にはただ１つの挿入切欠部だけが本発明の装置のために設けられている。このことによって、外側クリップと内側クリップが本発明により構成されているため、２つの取付け部材を支持部材に手動で非常に簡単に取り付けることができ、この取付けはスペースを取らず、構造的にわずかしか衰弱させない。
【０００６】
本発明のさらなる有利な構成は従属請求項の対象である。
【０００７】
以下、さらなる有利な構成および利点も含めて本発明を、実施例に基づき添付図面を参照して詳細に説明する。
【図面の簡単な説明】
【０００８】
【図１】本発明の装置の一実施例における外側クリップの斜視図である。
【図２】本発明の装置の上記実施例における内側クリップの斜視図である。
【図３】本発明の装置の上記実施例における、図１と外側クリップと図２の内側クリップの縦断面図であり、支持部材と２つの取付け部材が係合して組み立てられた配置構成にある。
【図４】図３の縦断面図に対して直角の２つの第２の縦断面図であり、図３の配置構成を示す。
【図５】図１から図４の実施例の側面図であり、外側クリップから内側クリップが部分的に突き出た様子を示す。
【発明を実施するための形態】
【０００９】
図１は、本発明の装置の一実施例の外側クリップ１を斜視図に示す。
【００１０】
外側クリップ１はワンピースのプレス折曲部材としてプレート帯材から作製され、正方形または矩形の基面を備える平坦な底部分２を有する。底部分２の相互に対向する縁部側は傾斜されており、底部分２からの間隔が増大するにつれ、相互に離れる脚アーム３、４が成形されている。これら脚アームは、底部分２とは反対側の端部領域にそれぞれ１つの後方把持部分５、６を有する。各脚アーム３、４の各後方把持部分５、６は内側に曲げられており、外側の接続端部から底部分２に離れるように対向する脚アーム３、４に向って伸長（延在）している。
【００１１】
後方把持部分５、６の相互に向き合う端部には、それぞれ１つの当接部分７、８が成形されている。これらの当接部分はさらに後方把持部分５、６から離れる方の縁部側でそれぞれ１つのクランプ舌片９、１０と結合されている。クランプ舌片９、１０は外に向かって伸長し、脚アーム３、４を側方に越えて延在している。外側クリップ１に対して長手方向に関して、すなわち脚アーム３、４の方向に所定の弾性を付与するために、クランプ舌片９、１０はＳ字形に構成されている。ここでそれぞれの当接部分７、８からさらに離れる外側に形成された湾曲部は外側クリップ１の長手方向において、それぞれの当接部分７、８の近傍に配置された内側の湾曲部よりも底部分２により近い位置に配される。さらに当接部分７、８の寸法とクランプ舌片９、１０の寸法とは、クランプ舌片９、１０の外側湾曲部が外側クリップ１の長手方向で後方把持部分５、６から第１の間隔で配置されるように整合されている。さらに図１から、クランプ舌片１０が脚アーム３、４より幅広であることが分かる。
【００１２】
図２は、本発明の装置の上述の実施例の内側クリップ１１を斜視図に示す。内側クリップ１１は外側クリップ１と同じように、ワンピースのプレス折曲部材としてプレート帯材から作製され、正方形または矩形の基面を備える平坦な脚基部分１２を有する。ここでコンパクトな構造形態にするために、内側クリップ１１の脚基部分１２の寸法は外側クリップ１の底部分２の寸法にほぼ相当する。脚基部分１２の相互に対向する縁部側には側脚部１３、１４が形成されており、これらの側脚部１３、１４は脚基部分１２に直接隣接する膨らみ部分１５、１６から、脚基部分１２に対してほぼ直角に伸長し、したがって実質的に相互に平行に配向されている。脚基部分１２とは反対側の端部では側脚部１３、１４のヘッド部分１７、１８が、内側に向けられた湾曲部１９、２０を介して相互に接近し、側脚部１３、１４に形成された縁継目板２１、２２を介して相互に結合されている。これらの縁継目板は他方の側脚部１３、１４を把持する。縁継目板２１、２２はブロックウェブ（ブロック片部分）２１１、２２１に当接する。これらのブロックウェブ２１１、２２１はそれぞれ対向するヘッド部分１７、１８に形成されており、ヘッド部分１７、１８の平面内にあって外側に伸長している。これによって両方の側脚部１３、１４はヘッド部分１７、１８の領域で相互に強固に結合され、相互が接近および離間する運動に対してブロックされている。
【００１３】
各ヘッド部分１７、１８の、脚基部分１２とは反対側では、各側脚部１３、１４に側方で外に向かって突出する載置舌片２３、２４が成形されている。これらの載置舌片は側脚部１３、１４に対してほぼ直角に、かつ脚基部分１２に対して平行に配向されている。載置舌片２３、２４の幅は、側脚部１３、１４の幅に実質的に相当する。
【００１４】
さらに図２から、各側脚部１３、１４がその膨らみ（膨出）部分１５、１６に、脚基部分１２から離れるように外に向かって傾斜したストップウェブ（係止爪）２５、２６を有することが分かる。これらストップウェブの脚基部分１２から離れる端部は側方で外に向かって側脚部１３、１４を越えている。膨らみ部分１５、１６と湾曲部１９、２０との間では、各側脚部１３、１４に後方把持舌片２７、２８が形成されている。この後方把持舌片の、膨らみ部分１５、１６に向いた側の端部は、側脚部１３、１４とそれぞれ結合されている。この結合領域から、各後方把持舌片２７、２８において可調節部分（Anstellabschnitt）２９、３０が、脚基部分１２から離れるように斜めに外に向かって伸長している。各可調節部分２９、３０の、脚基部分１２から離れる方の端部には、当接部分３１、３２が配設されている。これらの当接部分３１、３２は、外側にある接続端部からそれぞれ内側へ向って、ヘッド部分１７、１８の方向に伸長し、かつ傾斜されている。最後に各後方把持舌片２８、２９はその自由端部において端部分３３、３４を介して先細になっており、これら端部分は内側クリップの長手方向にほぼ平行に配向されている。
【００１５】
当接部分３０、３１と載置舌片２３、２４は第２の間隔を相互に有する。この第２の間隔は、外側クリップ１にある後方把持部分５、６とクランプ舌片９、１０との第１の間隔よりも大きい。
【００１６】
図３は、第１の縦断面図に図１の外側クリップ１と図２の内側クリップ１１を示す。ここに説明する実施例は、組み立て状況で相互に継ぎ合わされた配置構成にある。ここでは支持部材３５が第１の取付け部材として、例えばエアバッグ装置の布地マットを備えるボデーパネルであり、この支持部材３５がエアバッグ装置のいわゆる「リテーナ」として構成された、第２の取付け部材としての固定ケーシング３７に結合されている。図３から分かるように、外側クリップ１のクランプ舌片９、１０が布地マット３６に当接しており、一方、外側クリップ１の後方把持部分５、６は内側にあるその縁部領域で、支持部材３５に形成された挿入切欠部３８の枠と係合している。後方把持部分５、６を傾斜させることにより、弓形のクランプ舌片９、１０により達成された弾性と相俟って、支持部材３５の厚さおよび／またはここでは布地マット３６の形態にある第１の取付け部材の厚さに関しての公差調整（補償）を行うことができる。
【００１７】
外側クリップ１の当接部分８、９の外側は、支持部材３５に組み込まれた挿入隆起部３８と布地マット３６に設けられた差込み隆起部３９に当接する。一方、当接部分８、９の内側は、外側クリップ１の脚アーム３、４が相互に比較的わずかに接近運動するだけですでに内側クリップ１１に当たるようになる。これにより外側クリップ１は、比較的フレキシブルな構造であっても、大きな引張力（ないし引抜力）をもって支持部材３５に係留される。
【００１８】
図４は第２の縦断面図において、図１の外側クリップ１と図２内側クリップ１１を示す。ここに本発明の上述の装置の実施例は図４の配置構成にある。第２の縦断面図の断面は、図３の第１の縦断面図の段面に対してほぼ垂直である。図４から、内側クリップ１１の載置舌片２３、２４が、固定ケーシング３７内に形成された収容空間４０内に配置されており、内側クリップ１１の後方把持舌片２７、２８の当接部分３１、３２が挿入隆起部３８の縁部領域に当接しているので、固定ケーシング３７が支持部材３５に確保されていることが分かる。ここで外側クリップ１のクランプ舌片９、１０は、固定ケーシング３７に形成された室空間４１内にある。
【００１９】
図５は側面図に、本発明の装置の実施例における図１の外側クリップ１と図２内側クリップ１１を示す。この配置構成では、図３および図４の配置構成とは異なり、内側クリップ１１がスライド経路を介して外側クリップ１から引き出された状態を示す。図５の配置構成は例えば、図５に概略的に示した、布地マット３６の一部であるエアバッグ４２が膨張した後の状態を示すものであり、大きな力が作用するため内側クリップ１１の後方把持舌片２７、２８が荷重変形した後、図示の固定ケーシング３７ならびにそれ以上図示しない固定ケーシング３７が支持部材３５から上方に引き上げられている。ここで内側クリップ１１の側脚部１３、１４のストップウェブ２５、２６の端部は、支持部材３５の挿入隆起部３８の縁部領域に突き当たり、破壊的に作用する過度の力は例外として内側クリップ１１が外側クリップ１からさらに引き出されるのを阻止する。内側クリップ１１は図示の配置構成でも外側クリップ１の当接部分７、８の間に相変わらず配置されているから、布地マット３６と支持部材３５との接合強度は得られたままである。なぜなら外側クリップ１の脚アーム３、４は、内側クリップ１１のブロック作用のためそれ以上相互に接近運動することができないからである。
【図１】
2010539420.tif 000003
【図２】
2010539420.tif 000004
【図３】
2010539420.tif 000005
【図４】
2010539420.tif 000006
【図５】
2010539420.tif 000007
【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
２つの取付け部材（３６、３７）を１つの支持部材（３５）に、外側クリップ（１）と内側クリップ（１１）によって取り付けるための装置であって、
前記外側クリップはワンピースのプレス折曲部材としてプレート帯材から作製され、かつ相互に対向し、一方の端部で相互に接続された２つの脚アーム（３、４）と、当該各脚アーム（３、４）の他方の自由端部で側方に突出するクランプ舌片（９、１０）とを有し、
前記外側クリップ（１）の各脚アーム（３、４）は、接続端部から他方の脚アーム（３、４）の方向に伸長する後方把持部分（５、６）を有し、
該後方把持部分は、前記クランプ舌片（９、１０）から第１の間隔で配置されており、
前記内側クリップは、前記外側クリップ（１）の前記脚アーム（３、４）の間に配置されており、かつ相互に対向し、相互に接続された２つの側脚部（１３、１４）を有する形式の装置において、
前記内側クリップ（１１）はワンピースのプレス折曲部材としてプレート帯片から作製され、
該内側クリップ（１１）の各側脚部（１３、１４）の他方の端部には側方に突出する載置舌片（２３、２４）が形成されており、
前記内側クリップ（１１）は、それぞれ１つの後方把持舌片（２７、２８）に形成された当接部分（３１、３２）を介して前記支持部材（３５）と係合し、
前記内側クリップ（１１）の各側脚部（１３、１４）は、接続端部から他方の側脚部（１３、１４）の方向に伸長する前記当接部分（３１、３２）を有し、
該当接部分は前記載置舌片（２３、２４）から第２の間隔で配置されており、
該第２の間隔は、前記外側クリップ（１）でのクランプ舌片（９、１０）から後方把持部分（５、６）までの第１の間隔よりも大きく、
前記内側クリップ（１１）では、各側脚部（１３、１４）が、前記当接部分（３１、３２）の、前記当接舌片（２３、２４）とは反対側にストップウェブ（２５、２６）を有し、該ストップウェブの自由端部は斜めに外に向かって伸長していること、
を特徴とする装置。
【請求項２】
請求項１記載の装置において、
前記外側クリップ（１）では、前記後方把持部分（５、６）の相互に向き合う端部と前記クランプ舌片（９、１０）との間に平坦な当接部分（７、８）が形成されていることを特徴とする装置。
【請求項３】
請求項１または２記載の装置において、
前記外側クリップ（１）では、自由端部に対向する脚アーム（３、４）の端部間に平坦な底部分（２）が形成されていることを特徴とする装置。
【請求項４】
請求項３記載の装置において、
前記内側クリップ（１１）では、前記側脚部（１３、１４）の、前記載置舌片（２３、２４）とは反対側の端部間に平坦な脚基部分（１２）が形成されており、該脚基部分の寸法は前記外側クリップ（１）の前記底部分（２）の寸法に実質的に相当することを特徴とする装置。
【請求項５】
請求項１から４までのいずれか一項記載の装置において、
前記内側クリップ（１１）では、各当接部分（３１、３２）が弾性の後方把持部分（２７、２８）に形成されており、該後方把持部分の自由端部は配属された載置舌片（２３、２４）に向いていることを特徴とする装置。
【請求項６】
請求項５記載の装置において、
各後方把持部分（２７、２８）は、前記自由端部を閉鎖する平坦な端部分（３３、３４）を有することを特徴とする装置。
【請求項７】
請求項４から６までのいずれか一項記載の装置において、
前記内側クリップ（１１）では、前記脚基部分（１２）とは反対側の側脚部（１３、１４）の端部がヘッド部分（１７）で相互に結合されていることを特徴とする装置。
【手続補正書】
【提出日】平成22年5月19日(2010.5.19)
【手続補正１】
【補正対象書類名】明細書
【補正対象項目名】全文
【補正方法】変更
【補正の内容】
【発明の詳細な説明】
【技術分野】
【０００１】
本発明は、２つの取付け部材を１つの支持部材に取り付けるための装置に関する。
【背景技術】
【０００２】
２つの取付け部材を１つの支持部材に取り付けるための従来の装置では、通常は各取付け部材に対して別個の固定エレメントが使用され、これらの固定エレメントがそのために支持部材に設けられた固有の切欠部にそれぞれ係留される。しかしこのことは例えばスペースが制限されている場合、または構造的に支持部材が強く負荷される場合には不利である。
【発明の概要】
【発明が解決しようとする課題】
【０００３】
本発明の基礎とする課題は、スペースを取らず、支持部材を比較的わずかしか衰弱させずに、２つの取付け部材を支持部材に比較的簡単に取り付けることのできる、２つの取付け部材を１つの支持部材に取り付けるための装置を提供することである。
【課題を解決するための手段】
【０００４】
この課題は、請求項1の特徴的構成を備える、２つの取付け部材を１つの支持部材に取り付けるための装置により解決される。即ち本発明の１視点において、該装置は、前記外側クリップはワンピースのプレス折曲部材としてプレート帯材から作製され、かつ相互に対向し、一方の端部で相互に接続された２つの脚アームと、当該各脚アームの他方の自由端部で側方に突出するクランプ舌片とを有し、前記外側クリップの各脚アームは、接続端部から他方の脚アームの方向に伸長する後方把持部分を有し、該後方把持部分は、前記クランプ舌片から第１の間隔で配置されており、前記内側クリップは、前記外側クリップの前記脚アームの間に配置されており、かつ相互に対向し、相互に接続された２つの側脚部を有する形式の装置において、前記内側クリップはワンピースのプレス折曲部材としてプレート帯片から作製され、該内側クリップの各側脚部の他方の端部には側方に突出する載置舌片が形成されており、前記内側クリップは、それぞれ１つの後方把持舌片に形成された当接部分を介して前記支持部材と係合し、前記内側クリップの各側脚部は、接続端部から他方の側脚部の方向に伸長する前記当接部分を有し、該当接部分は前記載置舌片から第２の間隔で配置されており、該第２の間隔は、前記外側クリップでのクランプ舌片から後方把持部分までの第１の間隔よりも大きく、前記内側クリップでは、各側脚部が、前記当接部分の、前記当接舌片とは反対側にストップウェブを有し、該ストップウェブの自由端部は斜めに外に向かって伸長していること、を特徴とする。（形態１）
なお、特許請求の範囲に付した図面参照符号は専ら発明の理解を助けるためのものに過ぎず、本発明を図示の態様に限定することは意図していない。
【０００５】
本発明の装置では、２つの脚アームにより構成された外側クリップ、ならびにこの外側クリップの間に配置された内側クリップが設けられており、両クリップが後方把持部分または当接部分を介して支持部材と係合し、ならびにクランプ舌片または載置舌片によりそれぞれ取付け部材が支持部材に確保されることによって、支持部材にはただ１つの挿入切欠部だけが本発明の装置のために設けられている。このことによって、外側クリップと内側クリップが本発明により構成されているため、２つの取付け部材を支持部材に手動で非常に簡単に取り付けることができ、この取付けはスペースを取らず、構造的にわずかしか衰弱させない。
【０００６】
本発明のさらなる有利な構成は従属請求項の対象である。以下に本発明の好ましい形態として掲げる。
前記外側クリップでは、前記後方把持部分の相互に向き合う端部と前記クランプ舌片との間に平坦な当接部分が形成されていることが好ましい。（形態２）
前記外側クリップでは、自由端部に対向する脚アームの端部間に平坦な底部分が形成されていることが好ましい。（形態３）
前記内側クリップでは、前記側脚部の、前記載置舌片とは反対側の端部間に平坦な脚基部分が形成されており、該脚基部分の寸法は前記外側クリップの前記底部分の寸法に実質的に相当することが好ましい。（形態４）
前記内側クリップでは、各当接部分が弾性の後方把持部分に形成されており、該後方把持部分の自由端部は配属された載置舌片に向いていることが好ましい。（形態５）
各後方把持部分は、前記自由端部を閉鎖する平坦な端部分を有することが好ましい。（形態６）
前記内側クリップでは、前記脚基部分とは反対側の側脚部の端部がヘッド部分で相互に結合されていることが好ましい。（形態７）
【０００７】
以下、さらなる有利な構成および利点も含めて本発明を、実施例に基づき添付図面を参照して詳細に説明する。
【図面の簡単な説明】
【０００８】
【図１】本発明の装置の一実施例における外側クリップの斜視図である。
【図２】本発明の装置の上記実施例における内側クリップの斜視図である。
【図３】本発明の装置の上記実施例における、図１と外側クリップと図２の内側クリップの縦断面図であり、支持部材と２つの取付け部材が係合して組み立てられた配置構成にある。
【図４】図３の縦断面図に対して直角の２つの第２の縦断面図であり、図３の配置構成を示す。
【図５】図１から図４の実施例の側面図であり、外側クリップから内側クリップが部分的に突き出た様子を示す。
【発明を実施するための形態】
【０００９】
図１は、本発明の装置の一実施例の外側クリップ１を斜視図に示す。
【００１０】
外側クリップ１はワンピースのプレス折曲部材としてプレート帯材から作製され、正方形または矩形の基面を備える平坦な底部分２を有する。底部分２の相互に対向する縁部側は傾斜されており、底部分２からの間隔が増大するにつれ、相互に離れる脚アーム３、４が成形されている。これら脚アームは、底部分２とは反対側の端部領域にそれぞれ１つの後方把持部分５、６を有する。各脚アーム３、４の各後方把持部分５、６は内側に曲げられており、外側の接続端部から底部分２に離れるように対向する脚アーム３、４に向って伸長（延在）している。
【００１１】
後方把持部分５、６の相互に向き合う端部には、それぞれ１つの当接部分７、８が成形されている。これらの当接部分はさらに後方把持部分５、６から離れる方の縁部側でそれぞれ１つのクランプ舌片９、１０と結合されている。クランプ舌片９、１０は外に向かって伸長し、脚アーム３、４を側方に越えて延在している。外側クリップ１に対して長手方向に関して、すなわち脚アーム３、４の方向に所定の弾性を付与するために、クランプ舌片９、１０はＳ字形に構成されている。ここでそれぞれの当接部分７、８からさらに離れる外側に形成された湾曲部は外側クリップ１の長手方向において、それぞれの当接部分７、８の近傍に配置された内側の湾曲部よりも底部分２により近い位置に配される。さらに当接部分７、８の寸法とクランプ舌片９、１０の寸法とは、クランプ舌片９、１０の外側湾曲部が外側クリップ１の長手方向で後方把持部分５、６から第１の間隔で配置されるように整合されている。さらに図１から、クランプ舌片１０が脚アーム３、４より幅広であることが分かる。
【００１２】
図２は、本発明の装置の上述の実施例の内側クリップ１１を斜視図に示す。内側クリップ１１は外側クリップ１と同じように、ワンピースのプレス折曲部材としてプレート帯材から作製され、正方形または矩形の基面を備える平坦な脚基部分１２を有する。ここでコンパクトな構造形態にするために、内側クリップ１１の脚基部分１２の寸法は外側クリップ１の底部分２の寸法にほぼ相当する。脚基部分１２の相互に対向する縁部側には側脚部１３、１４が形成されており、これらの側脚部１３、１４は脚基部分１２に直接隣接する膨らみ部分１５、１６から、脚基部分１２に対してほぼ直角に伸長し、したがって実質的に相互に平行に配向されている。脚基部分１２とは反対側の端部では側脚部１３、１４のヘッド部分１７、１８が、内側に向けられた湾曲部１９、２０を介して相互に接近し、側脚部１３、１４に形成された縁継目板２１、２２を介して相互に結合されている。これらの縁継目板は他方の側脚部１３、１４を把持する。縁継目板２１、２２はブロックウェブ（ブロック片部分）２１１、２２１に当接する。これらのブロックウェブ２１１、２２１はそれぞれ対向するヘッド部分１７、１８に形成されており、ヘッド部分１７、１８の平面内にあって外側に伸長している。これによって両方の側脚部１３、１４はヘッド部分１７、１８の領域で相互に強固に結合され、相互が接近および離間する運動に対してブロックされている。
【００１３】
各ヘッド部分１７、１８の、脚基部分１２とは反対側では、各側脚部１３、１４に側方で外に向かって突出する載置舌片２３、２４が成形されている。これらの載置舌片は側脚部１３、１４に対してほぼ直角に、かつ脚基部分１２に対して平行に配向されている。載置舌片２３、２４の幅は、側脚部１３、１４の幅に実質的に相当する。
【００１４】
さらに図２から、各側脚部１３、１４がその膨らみ（膨出）部分１５、１６に、脚基部分１２から離れるように外に向かって傾斜したストップウェブ（係止爪）２５、２６を有することが分かる。これらストップウェブの脚基部分１２から離れる端部は側方で外に向かって側脚部１３、１４を越えている。膨らみ部分１５、１６と湾曲部１９、２０との間では、各側脚部１３、１４に後方把持舌片２７、２８が形成されている。この後方把持舌片の、膨らみ部分１５、１６に向いた側の端部は、側脚部１３、１４とそれぞれ結合されている。この結合領域から、各後方把持舌片２７、２８において可調節部分（Anstellabschnitt）２９、３０が、脚基部分１２から離れるように斜めに外に向かって伸長している。各可調節部分２９、３０の、脚基部分１２から離れる方の端部には、当接部分３１、３２が配設されている。これらの当接部分３１、３２は、外側にある接続端部からそれぞれ内側へ向って、ヘッド部分１７、１８の方向に伸長し、かつ傾斜されている。最後に各後方把持舌片２８、２９はその自由端部において端部分３３、３４を介して先細になっており、これら端部分は内側クリップの長手方向にほぼ平行に配向されている。
【００１５】
当接部分３０、３１と載置舌片２３、２４は第２の間隔を相互に有する。この第２の間隔は、外側クリップ１にある後方把持部分５、６とクランプ舌片９、１０との第１の間隔よりも大きい。
【００１６】
図３は、第１の縦断面図に図１の外側クリップ１と図２の内側クリップ１１を示す。ここに説明する実施例は、組み立て状況で相互に継ぎ合わされた配置構成にある。ここでは支持部材３５が第１の取付け部材として、例えばエアバッグ装置の布地マットを備えるボデーパネルであり、この支持部材３５がエアバッグ装置のいわゆる「リテーナ」として構成された、第２の取付け部材としての固定ケーシング３７に結合されている。図３から分かるように、外側クリップ１のクランプ舌片９、１０が布地マット３６に当接しており、一方、外側クリップ１の後方把持部分５、６は内側にあるその縁部領域で、支持部材３５に形成された挿入切欠部３８の枠と係合している。後方把持部分５、６を傾斜させることにより、弓形のクランプ舌片９、１０により達成された弾性と相俟って、支持部材３５の厚さおよび／またはここでは布地マット３６の形態にある第１の取付け部材の厚さに関しての公差調整（補償）を行うことができる。
【００１７】
外側クリップ１の当接部分８、９の外側は、支持部材３５に組み込まれた挿入隆起部３８と布地マット３６に設けられた差込み隆起部３９に当接する。一方、当接部分８、９の内側は、外側クリップ１の脚アーム３、４が相互に比較的わずかに接近運動するだけですでに内側クリップ１１に当たるようになる。これにより外側クリップ１は、比較的フレキシブルな構造であっても、大きな引張力（ないし引抜力）をもって支持部材３５に係留される。
【００１８】
図４は第２の縦断面図において、図１の外側クリップ１と図２内側クリップ１１を示す。ここに本発明の上述の装置の実施例は図４の配置構成にある。第２の縦断面図の断面は、図３の第１の縦断面図の段面に対してほぼ垂直である。図４から、内側クリップ１１の載置舌片２３、２４が、固定ケーシング３７内に形成された収容空間４０内に配置されており、内側クリップ１１の後方把持舌片２７、２８の当接部分３１、３２が挿入隆起部３８の縁部領域に当接しているので、固定ケーシング３７が支持部材３５に確保されていることが分かる。ここで外側クリップ１のクランプ舌片９、１０は、固定ケーシング３７に形成された室空間４１内にある。
【００１９】
図５は側面図に、本発明の装置の実施例における図１の外側クリップ１と図２内側クリップ１１を示す。この配置構成では、図３および図４の配置構成とは異なり、内側クリップ１１がスライド経路を介して外側クリップ１から引き出された状態を示す。図５の配置構成は例えば、図５に概略的に示した、布地マット３６の一部であるエアバッグ４２が膨張した後の状態を示すものであり、大きな力が作用するため内側クリップ１１の後方把持舌片２７、２８が荷重変形した後、図示の固定ケーシング３７ならびにそれ以上図示しない固定ケーシング３７が支持部材３５から上方に引き上げられている。ここで内側クリップ１１の側脚部１３、１４のストップウェブ２５、２６の端部は、支持部材３５の挿入隆起部３８の縁部領域に突き当たり、破壊的に作用する過度の力は例外として内側クリップ１１が外側クリップ１からさらに引き出されるのを阻止する。内側クリップ１１は図示の配置構成でも外側クリップ１の当接部分７、８の間に相変わらず配置されているから、布地マット３６と支持部材３５との接合強度は得られたままである。なぜなら外側クリップ１の脚アーム３、４は、内側クリップ１１のブロック作用のためそれ以上相互に接近運動することができないからである。
【国際調査報告】
2010539420.tif 000008
2010539420.tif 000009
2010539420.tif 000010
2010539420.tif 000011
2010539420.tif 000012
2010539420.tif 000013